(57)【要約】【課題】大掛かりな排水施設を作る必要がなく、低コストで、大量の土壌の土壌環境を改善することができる土壌環境改善手法をもたらす。【解決手段】木質粗繊維とフルボ酸又はフミン酸とを用いた土壌環境改善手法であって、前記フルボ酸又はフミン酸を木材廃棄物等からなる木材チップの爆砕処理の過程で加えることで製造された前記木質粗繊維を過剰に塩類が集積した土壌に混合し、自然降雨で養生することで過剰な塩類を排出することを特徴とする。【選択図】図３
2019189742.tif 000002
【特許請求の範囲】
【請求項１】
フルボ酸又はフミン酸を木材廃棄物等からなる木材チップの爆砕処理の過程で加えることで製造された木質粗繊維を含む土壌改良資材を、塩類が過剰に蓄積した土壌中に混合し、自然降雨で養生することで過剰な塩類を排出することを特徴とする土壌環境改善手法。
【請求項２】
前記フルボ酸又はフミン酸が混入した木質粗繊維を含む土壌改良資材を土壌中に混合することによって、土壌の透水性を改善し、前記フルボ酸又はフミン酸の土壌中の塩類をキレート化する効果を促進することを特徴とする請求項１に記載の土壌環境改善手法。
【請求項３】
前記フルボ酸又はフミン酸が混入した木質粗繊維を含む土壌改良資材を土壌中に混合することによって、土壌の透水性を改善し、前記フルボ酸又はフミン酸によりキレート化された土壌中の塩類を自然降雨によって析出して除塩することを特徴とする請求項１に記載の土壌環境改善手法。
【請求項４】
前記フルボ酸又はフミン酸が混入した木質粗繊維を含む土壌改良資材を土壌中に混合することによって、土壌の透水性を改善し、前記フルボ酸又はフミン酸のｐＨを調整する機能である化学的緩衝能力によって土壌のｐＨを中性に近づけることを特徴とする請求項１に記載の土壌環境改善手法。
【請求項５】
前記フルボ酸又はフミン酸が混入した木質粗繊維を含む土壌改良資材を土壌中に混合することによって、土壌環境を改善した後に、更に土壌環境を改善する時にフルボ酸又はフミン酸を追加散布することを特徴とする請求項１に記載の土壌環境改善手法。
【請求項６】
前記フルボ酸又はフミン酸が混入した木質粗繊維を含む土壌改良資材を土壌中に混合する場合、前記木質粗繊維に混合していないフルボ酸又はフミン酸、硫黄、脱硫石膏、及び転炉スラグの群から選ばれる少なくとも１種を追加することを特徴とする請求項１に記載の土壌環境改善手法。
【請求項７】
前記フルボ酸又はフミン酸として、木、又は草、又は野菜屑、又は落葉落枝の未分解の有機物を炭の製造過程で産出される極強酸性の有機酸である木酢液又は竹酢液に適量漬け込み、長期間養生することで製造されるフルボ酸又はフミン酸を用いたことを特徴とする請求項１〜６のいずれか１項に記載の土壌環境改善手法。
【発明の詳細な説明】
【技術分野】
【０００１】
本発明は、フルボ酸又はフミン酸を木材廃棄物等からなる木材チップの爆砕処理の過程で加えることで製造される木質粗繊維を利用して土壌環境を改善する手法に関するものである。
【背景技術】
【０００２】
従来、土壌の酸性、アルカリ性を問わずにナトリウム等の塩類が集積した土壌を改善することを目的として、塩類を洗い流す為に排水施設を設け、土壌に蓄積している過剰な塩類を洗い流す手法が一般的に行われている（例えば、特許文献１及び非特許文献１，２参照）。
【０００３】
特許文献１には、透水性が小さい浚渫土等の粘性土について効率的に除塩するため、前述の粘性土と透水性のある透水性改良材を混合し、有機質系材料からなる排水層を設置し、その排水層の上に、前述の透水性改良材が混合された粘性土により盛土層を構築し、降雨及び給水により盛土層を除塩処理する方法が開示されている。
【０００４】
非特許文献１には、緑化植物の生育に支障を及ぼす高濃度の塩類を適正な電気伝導度（ＥＣ）に調整し、植栽基盤土として適応した状態に改善するための除塩の方法として、散水や中和剤等を用いて生育障害の要因となる塩類を溶脱させる手法であり、現地盤下層からの排水が可能な場合で土壌の透水性に問題がある場合は、粗耕起するという方法と、下層からの排水が不可能な場合は当該土壌を仮盛土とするという方法、が開示されており、排水は仮設水路等を作り、雨水又は散水により、脱塩し、定期的に電気伝導度（ＥＣ）を測定し、脱塩効果を確認するとしている。
【０００５】
非特許文献２には、土壌中に残留する過剰な塩分は、十分な量の真水で流し出すことを除塩の基本とし、土壌内に十分な量の真水を湛水させ、その浸透水により土壌中の塩分を排除する方法と、土壌中の塩分を湛水中に拡散溶出させ、土壌の水尻から排出する方法と、を開示し、いずれの方法においても、土壌中の塩分濃度が目標値に達するまで、湛水から排水に至る工程を繰り返すとしている。
【先行技術文献】
【特許文献】
【０００６】
【特許文献１】特開２０１７−１０００７４号公報
【非特許文献１】「植栽基盤整備技術マニュアル」平成２１年４月１日改定第２版  一般財団法人  日本緑化センター
【非特許文献２】「農地の除塩マニュアル  農村振興局」平成２３年６月  農林水産省
【発明の概要】
【発明が解決しようとする課題】
【０００７】
上記の特許文献１、非特許文献１、２にあっては、ナトリウムなどの塩類が集積した土壌を改善する除塩技術が開示されているが、次のような問題がある。
（１）排水設備、排水層や盛土層を設置する必要があり、除塩作業の前段階での工事が大規模になり、周辺環境への影響や、工事コストが大きくなる。
（２）排水設備、排水層の設置により、塩類集積した排水を局所的に排出することで、周辺土壌に更に塩類を集積させる。
（３）非特許文献１、非特許文献２に開示されている、真水による洗浄では大量の真水が必要となる。
（４）特許文献１で開示されている、降雨による除塩処理の方法では洗浄のための大量の真水は必要としないが、透水性を確保するために、改良材を１つもしくは２つ以上混合することを必要とし、さらに土壌の団粒化の促進には、高価な高分子ポリマーの使用が必要とされている。
（５）粘土鉱物の含有率の高い土壌の場合には、粘土鉱物に強固に吸着されている塩類を剥ぎ取ることが必要となることから、大量の水が必要となる。
【０００８】
これらの問題は、塩類集積が進んだ土壌のみならず、津波堆積物でも同様である。
【０００９】
従って、本発明は、大掛かりな排水施設を作る必要がなく、低コストで、大量の土壌の土壌環境を改善することができる土壌環境改善手法をもたらすことを課題とする。
【課題を解決するための手段】
【００１０】
そこで、本発明では、フルボ酸又はフミン酸を木材廃棄物等からなる木材チップの爆砕処理の過程で加えることで製造された木質粗繊維を過剰に塩類が集積した土壌に混合し、自然降雨で養生することで過剰な塩類を排出し、土壌環境を改善するようにした。
【００１１】
すなわち、本発明の第１は、前記フルボ酸又はフミン酸を木材廃棄物等からなる木材チップの爆砕処理の過程で加えることで製造された前記木質粗繊維を含む土壌改良資材を、塩類が過剰に蓄積した土壌中に混合し、自然降雨で養生することで過剰な塩類を排出することを特徴とする土壌環境改善手法である。
【００１２】
本発明の第２は、第１の発明において、前記フルボ酸又はフミン酸が混入した木質粗繊維を含む土壌改良資材を土壌中に混合することによって、土壌の透水性を改善し、前記フルボ酸又はフミン酸の土壌中の塩類をキレート化する効果を促進するものである。
【００１３】
本発明の第３は、第１の発明において、前記フルボ酸又はフミン酸が混入した木質粗繊維を含む土壌改良資材を土壌中に混合することによって、土壌の透水性を改善し、前記フルボ酸又はフミン酸によりキレート化された土壌中の塩類を自然降雨によって析出して除塩するものである。
【００１４】
本発明の第４は、第１の発明において、前記フルボ酸又はフミン酸が混入した木質粗繊維を含む土壌改良資材を土壌中に混合することによって、土壌の透水性を改善し、前記フルボ酸又はフミン酸のｐＨを調整する機能である化学的緩衝能力によって土壌のｐＨを中性に近づけるものである。
【００１５】
本発明の第５は、第１の発明において、前記フルボ酸又はフミン酸が混入した木質粗繊維を含む土壌改良資材を土壌中に混合することによって、土壌環境を改善した後に、更に土壌環境を改善する時にフルボ酸を追加散布するものである。
【００１６】
本発明の第６は、第１の発明において、前記フルボ酸又はフミン酸が混入した木質粗繊維を含む土壌改良資材を土壌中に混合する場合、前記木質粗繊維に混合していないフルボ酸又はフミン酸、硫黄、脱硫石膏、及び転炉スラグの群から選ばれる少なくとも１種を追加するものである。
【００１７】
本発明の第７は、第１〜第６の発明のいずれかにおいて、前記フルボ酸又はフミン酸として、木、又は草、又は野菜屑、又は落葉落枝の未分解の有機物を炭の製造過程で産出される極強酸性の有機酸である木酢液又は竹酢液に適量漬け込み、長期間養生することで製造されるフルボ酸又はフミン酸を用いたものである。
【発明の効果】
【００１８】
本発明は上記の構成であるから、次の効果がある。すなわち、フルボ酸又はフミン酸を木材廃棄物等からなる木材チップの爆砕処理の過程で加えることで製造される木質粗繊維を改善が必要となる土壌に混合することによって、土壌中の透水性を改善し、改善された透水性によってフルボ酸又はフミン酸のキレート効果を土壌中で均一に発現させることが可能となり、その効果によって酸性、アルカリ性の土壌における過剰な塩類を自然降雨によって効率的に排出することを可能としたものである。また、粘土鉱物の濃度の高い土壌においても、木質粗繊維によって透水性が改善された土壌中でフルボ酸又はフミン酸が均等に分散することから、土壌中でフルボ酸又はフミン酸のキレート効果によって粘土鉱物から塩類を効率的に剥ぎ取ることが期待できる。
【図面の簡単な説明】
【００１９】
【図１】本発明の一実施形態における土壌改良資材の製造工程を示す概略説明図である。
【図２Ａ】木材チップを蒸煮しリファイナーにより解繊処理した繊維のＳＥＭ像である。
【図２Ｂ】連続式の爆砕装置により解繊処理した繊維のＳＥＭ像である。
【図３】本発明の一実施形態に係る土壌環境改善手法の工程を示す概略説明図である。
【発明を実施するための形態】
【００２０】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２１】
＜土壌改良資材＞
本実施形態における土壌改良資材は、フルボ酸又はフミン酸が混合された木質粗繊維を含む。以下、土壌改良資材の製造方法について説明する。
【００２２】
本実施形態における土壌改良資材の製造工程は、図１に示すように、原料としての木材をチップ状に切断して木材チップを得るチップ化工程Ｓ１と、木材チップを爆砕処理して木質粗繊維を得る爆砕処理工程Ｓ２とを備えている。
【００２３】
チップ化工程Ｓ１において用いる木材は林業で発生する間伐材や林地残材、建設業、木材・木製品製造業、家具の製造業、パルプ製造業、輸入木材の卸売業および物品賃貸業から生ずる木材片、おがくず等の産業廃棄物や、その他植木の剪定枝等の木材の一般廃棄物などの木材廃棄物である。樹種は制限されないが、例えばケヤキ、スギ、タモ、ナラ、ヒノキ、アカマツ等が挙げられる。なお、木材に含まれる樹皮分の含有量は８０体積％未満とすることが望ましい。これは、爆砕処理工程Ｓ２において、樹皮分が８０体積％以上となると、爆砕処理工程Ｓ２中に圧縮できないためである。
【００２４】
また、木材の水分含有率は、ドライベース３０質量％超であることが好ましい。木材の水分含有率が、ドライベースで３０質量％以下となると、爆砕処理工程Ｓ２において水蒸気爆発が起こらない問題がある。ただし、木材の水分含有率がドライベースで３０質量％以下の場合であっても木材とともに水を投入することにより爆砕処理可能となる。
【００２５】
チップ化工程Ｓ１において、木材を、例えば木材チッパー等を用いて、チップ状の小片に切断し、木材チップを得る。木材チップの大きさは、爆砕処理工程Ｓ２における爆砕処理の効率化の観点から、好ましくは最大径１００ｍｍ以下、より好ましくは最大径２ｍｍ以上７０ｍｍ以下、特に好ましくは最大径５ｍｍ以上４０ｍｍ以下である。
【００２６】
爆砕処理工程Ｓ２において、木材チップを、例えば特開２００６−２３９７２９号公報に開示されている２軸スクリュー押出機のような連続式の爆砕装置や、バッチ式の圧力釜装置等に投入し爆砕処理を施す。
【００２７】
連続式の爆砕装置では、木材チップを爆砕装置の投入口に投入すると、木材チップは、回転するスクリュー等の間に挟み込まれて粉砕・擂り潰され、圧縮部を経て高圧縮部へ送り込まれることで十分に圧縮される。本実施形態では、この爆砕処理工程Ｓ２において、フルボ酸又はフミン酸を添加する。
【００２８】
蒸煮爆砕装置としてバッチ式の圧力釜装置を用いる場合には、圧力釜に木材チップとフルボ酸又はフミン酸とを投入し、１８０℃以上２５０℃以下の水蒸気下、１ＭＰａ以上２ＭＰａ以下の力下で５〜１０分間蒸煮・爆砕処理を行うことにより、本実施形態の木質粗繊維を得ることができる。
【００２９】
爆砕処理工程Ｓ２において加えるフルボ酸又はフミン酸は、例えば、
（ア）木、草、野菜屑若しくは落葉落枝の未分解の有機物を炭の製造過程で産出される極強酸性の有機酸である木酢液又は竹酢液に適量漬け込み、例えば６００時間以上の長期間養生することで製造されたもの、
（イ）腐植土から抽出したもの、及び、
（ウ）水域の底部の堆積土から抽出したもの
の群から選ばれる少なくとも１種のフルボ酸又はフミン酸である。これらのフルボ酸又はフミン酸は単独で用いてもよいし、２種以上を混合させて用いてもよい。
【００３０】
なお、（ア）のフルボ酸又はフミン酸について、例えば以下のような製造方法により製造される。
（１）自然由来の木酢液又は竹酢液とは、木、竹、草、残滓等の未分解の有機物を炭の製造過程で産出されるものである。
（２）有機物に対する酢液の割合は、例えば容量比で、木、又は草、又は野菜屑、又は落葉落枝の未分解の有機物に対して木酢液又は竹酢液が０．５以上の割合とすることができる。
（３）酢液が有機物に染み込むのに例えば５時間以上で、腐植含有量が５％以上になるのに、例えば６００時間以上の長時間にわたって酢液に漬け込むものである。
【００３１】
なお、爆砕処理工程Ｓ２において、フルボ酸又はフミン酸は、水により希釈された状態で添加される。このとき、フルボ酸又はフミン酸は、加水量に対して、好ましくは１００倍希釈以上、より好ましくは３００倍希釈以上、特に好ましくは５００倍希釈以上となるように加える。
【００３２】
フルボ酸又はフミン酸は化学的ｐＨ緩衝能力を有する。これにより、フルボ酸又はフミン酸を含む木質粗繊維のｐＨは弱酸性域で安定するため、ｐＨ調整材を混合して土壌改良資材のｐＨ調整を行う必要がなくなる。また、フルボ酸又はフミン酸の凝集効果によって長期的に団粒化を促すことや透水性を高めることができる。そうして、土壌改良資材としての木質粗繊維の機能を飛躍的に高めることができる。
【００３３】
そして、圧縮された木材チップは、放出口から放出されることによりフルボ酸又はフミン酸を含んだ水蒸気の爆発を起こし、爆砕処理されて、フルボ酸又はフミン酸が混入した木質粗繊維が得られる。
【００３４】
なお、木材チップを蒸煮しリファイナーにより解繊処理を行った木質粗繊維の表面を、図２Ａの電子顕微鏡（ＳＥＭ）像に示す。また、本実施形態における爆砕処理工程Ｓ２で用いる連続式の爆砕装置により爆砕処理を行った場合の木質粗繊維の表面を、図２ＢのＳＥＭ像に示す。図２Ａに比べ、図２Ｂでは、木質粗繊維の長さ方向に対して垂直な方向等に向かって、木質粗繊維の表面が毛羽立ったように細かく爆砕される。これにより、木質粗繊維が土壌中に混合されたときに、土壌の透水性が向上する。また、木質粗繊維の長さ方向に対して垂直な方向にスリットが形成され、毛細管現象によってフルボ酸又はフミン酸を含んだ水分が繊維内に取り込まれ、木質粗繊維の保水効果が向上する。このように、本実施形態における爆砕処理工程Ｓ２によれば、木質粗繊維の透水性・保水性能を効果的に向上させることができる。また、連続的な爆砕による大量生産可能、加熱不要の観点からは、連続式の爆砕装置を用いることが好ましい。
【００３５】
上述のごとく得られたフルボ酸又はフミン酸が混入された木質粗繊維は、例えばそのまま土壌改良資材として使用することができる。また、フルボ酸又はフミン酸が混入された木質粗繊維を、例えば乾燥させたり、さらに添加物を添加したりすることにより、種々の土壌改良資材を得ることができる。
【００３６】
＜土壌環境改善手法＞
本実施形態に係る土壌環境改善手法は、木質粗繊維とフルボ酸又はフミン酸とを用いた土壌環境改善手法であって、上述のごとく製造した土壌改良資材を塩類が過剰に蓄積した土壌中に混合し、自然降雨で養生することで過剰な塩類を排出することにより行われる。
【００３７】
図３は、本実施形態に係る土壌環境改善手法の工程を示す概略説明図である。図３において、Ｇは地表面、１は土壌改良資材、２はフルボ酸又はフミン酸、３は添加剤（硫黄粉末、脱硫石膏、転炉スラグ）、４１はショベルカー、４２はジョウロである。
【００３８】
図３に示すように、まず、ショベルカー４１により、過剰な塩類が堆積した土壌を掘り起こし、土壌改良資材１を混合して土壌内に埋め込む。所望の範囲の土壌に土壌改良資材１を混合した後、自然降雨により養生して過剰な塩類が排出される。
【００３９】
土壌改良資材１は、上述のごとく、フルボ酸又はフミン酸を木材廃棄物等からなる木材チップの爆砕処理の過程で加えることで製造された木質粗繊維を含んでいる。
【００４０】
土壌中にフルボ酸又はフミン酸を含む木質粗繊維が単位体積当たり１〜３０体積％の割合で混合されるように、土壌改良資材を土壌中に混合することで、土壌中の物理・化学性を改善し、フルボ酸又はフミン酸のキレート効果によって、余分に析出された塩類について、自然降雨によって排出して土壌の健全化を図ることができる。
【００４１】
すなわち、土壌改良資材１を土壌中に混合することによって、土壌の透水性を改善することができる。また、フルボ酸又はフミン酸の土壌中の塩類をキレート化する効果を促進することができる。さらに、フルボ酸又はフミン酸によりキレート化された土壌中の塩類を自然降雨によって析出して除塩することができる。また、フルボ酸又はフミン酸のｐＨを調整する機能である化学的緩衝能力によって土壌のｐＨを中性に近づけることができる。
【００４２】
また、図３に示すように、土壌改良資材１を土壌中に混合する場合、その混合前後又は混合と同時に、木質粗繊維に混合していないフルボ酸又はフミン酸２、添加剤３を追加して、土壌中に混合するようにしてもよい。添加剤３は、硫黄、脱硫石膏、及び転炉スラグの群から選ばれる少なくとも１種である。
【００４３】
なお、土壌改良資材１を土壌に混合した後や、混合後所定期間経過してから、更に土壌環境の改善効果を高める為に、フルボ酸又はフミン酸２を例えばジョウロ等により追加散布することも可能である。フルボ酸又はフミン酸２としては、木質粗繊維に混合されたフルボ酸又はフミン酸と同様の方法により得られたものを用いることができる。
【００４４】
本実施形態に係る土壌改良手法によれば、大掛かりな排水施設を作る必要がなく、自然降雨を利用できることから改善対象となる土壌環境を急激に変えることなく、過剰な塩類を排出して、低コストで、大量の土壌の土壌環境を改善することができる。
【実施例】
【００４５】
次に、具体的に実施した実施例について説明する。
【００４６】
［土壌改良資材］
土壌改良資材の調整は、スギ材を、チッパーを用いて５〜４０ｍｍの木材チップとした。
【００４７】
そして、この木材チップとフルボ酸（国土防災技術株式会社製、フジミン）の５００倍希釈液１０Ｌ／ｍ３とを２軸スクリュー押出機（モリマシナリー株式会社製、ＭＯＲＩ−ＬＥＨＭＡＮＮエクストルーダ）の投入口に混合投入し爆砕した。
【００４８】
爆砕後の木質粗繊維を大気下で２時間乾燥させて土壌改良資材を得た。
【００４９】
［効果確認試験１］
国土防災技術株式会社松江試験場（島根県）において、土壌ｐＨが１１、土壌ＥＣ（電気伝導度）６ｄＳ／ｍ、土壌透水係数１０−５ｃｍ／Ｓの土壌に対して上述のごとく製造したフルボ酸を混合した木質粗繊維からなる土壌改良資材を５体積％混合して自然降雨に放置して観察した結果、降雨のあった一週間後には土壌の透水係数は、１０−３ｃｍ／Ｓに改善し、土壌ｐＨ８、土壌ＥＣ０．７ｄＳ／ｍまで改善した。
【００５０】
［効果確認試験２］
福島県南相馬の植生盛土において、長谷川式の透水試験で１時間当たり２４ｍｍの水位低下であった珪藻土の盛土面に、上述のごとく製造したフルボ酸を混合した木質粗繊維からなる土壌改良資材を３体積％混合することによって１時間当たり６０ｍｍの水位低下まで改善できている。社団法人日本造園学会の緑化事業における植栽基盤整備マニュアル（２０００年）では、１時間当たりで３０ｍｍ以上の透水があることが植栽基盤として可とすることが決められている。また、土壌のｐＨは３から５．５、土壌ＥＣも０．８ｄＳ／ｍまで改善した。
【産業上の利用可能性】
【００５１】
本発明によれば、大掛かりな排水施設を作る必要がなく、低コストで、大量の土壌の土壌環境を改善することができるので極めて有用である。
【符号の説明】
【００５２】
１  土壌改良資材
２  フルボ酸又はフミン酸
３  添加剤
４１  ショベルカー
４２  ジョウロ
Ｓ１…  チップ化工程
Ｓ２…  爆砕処理工程
【図１】
2019189742.tif 000003
【図２Ａ】
2019189742.tif 000004
【図２Ｂ】
2019189742.tif 000005
【図３】
2019189742.tif 000006